(57)【要約】【課題】  安定器外郭と器具本体とのアースを確実に行う。【解決手段】  外郭が導電体で形成された棒状の安定器１と、安定器１を収納する筒状のケースと、ケースの両端に当接するパッキン３と、パッキン３を押さえ付けてケースに取り付けられる導電体で形成されたエンドプレート４とを備えた照明器具において、エンドプレート４に安定器外郭とアースが取れるアース片１０を設けた。これにより、安定器外郭と器具本体間の導通を確実にすることができるため、電気的安全性を目的としたアース確実性のみならず、インバータから発生するノイズ低減を目的とした所謂機能アースをより確実に実現することができる。【選択図】  図１
2005071810.tif 000002
【特許請求の範囲】
【請求項１】
器具本体と、外郭が導電体で形成された棒状の安定器と、前記器具本体に配置され前記安定器を収納する筒状のケースと、前記ケースの両端に当接するパッキンと、前記パッキンを押さえ付けて前記ケースに取り付けられる導電体で形成されたエンドプレートとを備えた照明器具において、前記エンドプレートに前記安定器外郭とアースが取れるアース片を設けたことを特徴とする照明器具。
【請求項２】
エンドプレートから突出するアース片に、安定器長手方向に沿って突起を設け、前記アース片と安定器外郭が接続部材で一体に固定されるとともに、前記突起が前記安定器外郭側と線接触するようにした請求項１記載の照明器具。
【請求項３】
エンドプレートから突出するアース片と安定器外郭が接続部材で一体に固定されるとともに、前記アース片に前記接続部材の外れ方向への移動を阻止する突起を設けた請求項１記載の照明器具。
【請求項４】
安定器外郭とアース片間に挿入して、安定器をケースに押し付ける突片をパッキンに設けた請求項１記載の照明器具。
【発明の詳細な説明】
【技術分野】
【０００１】
この発明は、照明器具に関するものである。
【背景技術】
【０００２】
近年、省エネルギを目的にしてインバータ商品が急拡大している。インバータ商品の場合、電気的安全性を目的としたアース確実性のみならず、インバータから発生するノイズ低減を目的とした所謂機能アースが必要である。従来より、防水ケース外郭と照明器具本体間の導通は確保されていたが、インバータ安定器外郭と防水ケースとの導通については、積極的な対策を施していないのが実情であった。
【０００３】
図１１は従来の照明器具の安定器周辺の分解斜視図、図１２は他の従来例の照明器具の説明図である。図１１に示すように、筒状ケース２に安定器１を収納し、その両端にパッキン５３をエンドプレート５４で押さえ付けてねじ２４で取り付ける方法があった。しかし、ケース２及び安定器外郭は表面処理を施されていることが多く、その間の導通は確実とはいえない。このような構成として、ケース本体の端部にパッキンング、端板を締め付け固定した電気部品収納ケースが開示されている（例えば、特許文献１）
また、ケース２内での安定器１のがたつき防止や位置決めに配慮されておらず、アースの確実性、及び安定器１がケース２内壁に密着することによる放熱効果など、個体間のばらつきが多かった。さらに、エンドプレート５４をねじ２４でケース２に締め付ける際、その締め付け力によりパッキン５３圧縮代が異なるため、防水性能面においても個体間にばらつきがあった。
【０００４】
また、図１２に示すように、ケース２に安定器１を収納し、その両端をコンパウンド５５などで密閉する方法がある。この方法は、防水性能的には問題はないが、前述のアース確実性などで問題があった。また、コンパウンド５５を乾燥させる手間がかかるなどの問題があった。また、アース経路形成用の導電接続として、本体ケース内に収納した変圧器の鉄芯と蓋を直接接続する導電板を設けたものが開示されている（例えば、特許文献２参照）。
【特許文献１】特開平５−２９１７５９号公報
【特許文献２】特開平９−４５５３８号公報
【発明の開示】
【発明が解決しようとする課題】
【０００５】
上記のように従来例の多くは、アースの確実性を考慮していない場合が多い。同時に、安定器がケース内壁に密着することによる放熱効果など、個体間にばらつきが多かった。
【０００６】
したがって、この発明の目的は、安定器外郭と器具本体とのアースを確実に行うことができる照明器具を提供することである。
【課題を解決するための手段】
【０００７】
上記課題を解決するためにこの発明の請求項１記載の照明器具は、器具本体と、外郭が導電体で形成された棒状の安定器と、前記器具本体に配置され前記安定器を収納する筒状のケースと、前記ケースの両端に当接するパッキンと、前記パッキンを押さえ付けて前記ケースに取り付けられる導電体で形成されたエンドプレートとを備えた照明器具において、前記エンドプレートに前記安定器外郭とアースが取れるアース片を設けた。
【０００８】
この発明の請求項２記載の照明器具は、請求項１記載の照明器具において、エンドプレートから突出するアース片に、安定器長手方向に沿って突起を設け、前記アース片と安定器外郭が接続部材で一体に固定されるとともに、前記突起が前記安定器外郭と線接触するようにした。
【０００９】
この発明の請求項３記載の照明器具は、請求項１記載の照明器具において、エンドプレートから突出するアース片と安定器外郭が接続部材で一体に固定されるとともに、前記アース片に前記接続部材の外れ方向への移動を阻止する突起を設けた。
【００１０】
この発明の請求項４記載の照明器具は、請求項１記載の照明器具において、安定器外郭とアース片間に挿入して、安定器をケースに押し付ける突片をパッキンに設けた。
【発明の効果】
【００１１】
この発明の請求項１記載の照明器具によれば、エンドプレートに安定器外郭とアースが取れるアース片を設けたので、安定器外郭と器具本体間のアース導通を確実にすることができる。このため、電気的安全性を目的としたアース確実性のみならず、インバータから発生するノイズ低減を目的とした所謂機能アースをより確実に実現することができる。
【００１２】
請求項２では、エンドプレートから突出するアース片に、安定器長手方向に沿って突起を設け、アース片と安定器外郭が接続部材で一体に固定されるとともに、突起が安定器外郭と線接触するようにしたので、ねじ等の接続部材とアース片との導通性を向上させることができる。
【００１３】
請求項３では、エンドプレートから突出するアース片と安定器外郭が接続部材で一体に固定されるとともに、アース片に接続部材の外れ方向への移動を阻止する突起を設けたので、ねじ等の接続部材の位置決めおよび抜け止めができる。
【００１４】
請求項４では、安定器外郭とアース片間に挿入して、安定器をケースに押し付ける突片をパッキンに設けたので、安定器のがたつきを防止するとともに、安定器をケースに密着させることで放熱効果を向上させることができる。
【発明を実施するための最良の形態】
【００１５】
この発明の第１の実施の形態を図１および図２に基づいて説明する。図１（ａ）は本発明の第１の実施形態のパッキンとエンドプレートの斜視図、（ｂ）は第１の実施形態の要部分解斜視図、図２（ａ）は防水用照明器具全体の分解斜視図、（ｂ）は防水安定器の完成状態の説明図である。
【００１６】
図１に示すように、器具本体と、外郭が導電体で形成された棒状の安定器１と、器具本体に配置され安定器１を収納する筒状のケース２と、ケース２の両端に当接するパッキン３と、パッキン３を押さえ付けてケース２に取り付けられる導電体で形成されたエンドプレート４とを備えている。パッキン３とエンドプレート４を除く構成は図１１で示した従来例と同様である。また、エンドプレート４に安定器外郭とアースが取れるアース片１０を設けた。
【００１７】
この場合、エンドプレート４の内側にアース片１０、外側に取付片１１が突設してある。アース片１０は、ねじが挿通可能な間隔をあけて対向する一対の対向部１０ａを有する。パッキン３にはアース片１０を貫通させる開口部１２を設けている。また、パッキン３とエンドプレート４には電線挿通孔１３が整合するように設けられ、エンドプレート４にはケース２に固定するためのねじ取付部１４が設けてある。
【００１８】
安定器外郭の端部にはねじ挿通部１５が設けてある。エンドプレート４と安定器１の導通確保構造はリード線１６を用いる。すなわち、アース片１０の一対の対向部１０ａ間にねじ１７を挿通しナット１８を用いて、一方の圧着端子１９をアース片１０に取り付ける。その際、ねじ１７、ナット１８には突起を設け、エンドプレート４の表面の表面処理被膜を削り導通を確保する。安定器１側も同様に、安定器外郭のねじ挿通部１５にねじ１７を挿通しナット１８を用いて、他方の圧着端子１９を安定器１に取り付ける。両圧着端子１９間はリード線１６で接続する。また、図２（ｂ）に示すように、エンドプレート４は、取付片１１に設けた孔を利用してねじ・ナット２５などで器具本体２０に取り付けられるため、安定器外郭と器具本体２０間のアース導通が可能となる。
【００１９】
また、図２（ａ）に示すように、器具本体２０は、アンカーボルトに座金・ナット２１で固定され、反射板２２、ランプ２３が装着される。また、エンドプレート４がねじ取付部１４に挿通されるねじ２４にてケース２に固定されるとともに、安定器１からの電線２６がエンドプレート４の電線挿通孔１３より導出される（図２（ｂ））。
【００２０】
以上のように本実施形態によれば、アース片１０を設けたので安定器外郭と器具本体２０間の導通を確実にすることができる。このため、電気的安全性を目的としたアース確実性のみならず、インバータから発生するノイズ低減を目的とした所謂機能アースをより確実に実現することができる。
【００２１】
この発明の第２の実施の形態を図３および図４に基づいて説明する。図３は本発明の第２の実施形態の要部分解斜視図、図４は本発明の第２の実施形態のエンドプレートの斜視図である。
【００２２】
図３および図４に示すように、第１の実施形態において、リード線を介さずに、安定器外郭とアース片１０を一体にねじ１７、ナット１８等の接続部材を用いて取り付けている。また、エンドプレート４から突出するアース片１０に、安定器１の長手方向に沿って突起３０を設けている。この突起３０が安定器外郭側と線接触するようにした。
【００２３】
この場合、突起３０はナット１８と接触し、ナット１８の表面との導通をより確実にしている。また、安定器外郭のねじ挿通部１５からアース片１０の一対の対向部１０ａ間にねじ１７を挿通しナット１８を用いて、アース片１０を安定器１に取り付ける。本実施形態では、アース確実性がさらに向上するとともに、リード線、圧着端子などの部品が削除できるという利点がある。なお、突起３０はなくてもよい。その他の構成効果は、第１の実施の形態と同様である。
【００２４】
この発明の第３の実施の形態を図５に基づいて説明する。図５は本発明の第３の実施形態のエンドプレートの斜視図である。
【００２５】
図５に示すように、第２の実施形態と同様にエンドプレート４から突出するアース片１０と安定器外郭がねじ、ナット等の接続部材で一体に固定されるとともに、アース片１０に接続部材の外れ方向への移動を阻止する（ストッパ機能）突起３１を設けている。すなわち、突起３１はナットの側面に当接し、ナットの抜け止めを可能としている。その他の構成効果は、第１の実施の形態と同様である。また、第１の実施形態のようにリード線を用いたエンドプレート４と安定器１の導通確保構造としてもよい。
【００２６】
この発明の第４の実施の形態を図６に基づいて説明する。図６（ａ）は本発明の第４の実施形態のパッキンとエンドプレートの斜視図、（ｂ）は第４の実施形態の要部断面図である。
【００２７】
図６に示すように、第２の実施形態と同様にエンドプレート４から突出するアース片１０と安定器外郭がねじ、ナット等の接続部材で一体に固定されるとともに、安定器外郭とアース片１０間に挿入して、安定器１をケース２に押し付ける突片３２をパッキン３に設けている。この場合、突片３２は、アース片１０の一対の対向部１０ａと略同形の一対の対向部３２ａが開口部１２に隣接して形成されている。また、安定器外郭のねじ挿通部１５からアース片１０の一対の対向部１０ａ、および突片３２の一対の対向部３２ａ間にねじ１７を挿通しナット１８を用いて、アース片１０を安定器１に取り付ける（図３参照）。本実施形態では、アース片１０と安定器外郭間に、パッキン３の突片３２を挿入し安定器１のがたつきを防止するとともに、安定器１をケース２に密着させることで放熱効果を向上させることができる。その他の構成効果は、第１の実施の形態と同様である。
【００２８】
この発明の第５の実施の形態を図７に基づいて説明する。図７は本発明の第５の実施形態の要部断面図である。
【００２９】
図７に示すように、第１の実施形態において、安定器１の背面側に突出したねじ頭などを回避するスペースをケース２に設けた構成である。この場合、圧着端子１９を安定器１に取り付ける際に用いるねじ１７の頭部を挿入する凹部３５をケース２に設けている。これにより、安定器１をケース２に密着させることができる。本実施形態では、凹部３５により安定器１がケース２に対して位置決めされるとともに、安定器１とケース２内壁を当接することで、放熱効果を向上させることが可能となる。なお、本実施形態を第２の実施形態に適用することもできる。
【００３０】
この発明の第６の実施の形態を図８に基づいて説明する。図８（ａ）は本発明の第６の実施形態の安定器とケースの斜視図、（ｂ）はケースの断面図である。
【００３１】
図８に示すように、第１または第２の実施形態において、安定器１とケース２内壁間に弾性体を挿入した構成である。この場合、安定器１とケース２間に板状のばね３６を挿入し、安定器１をケース２に密着させる。この際、ケース２内面にばね３６が嵌合する凸部３７を設け、ばね３６の位置決めを容易にする。また、第５の実施形態と同様にケース２に凹部３５を設けている。本実施形態では、ケース２内壁に安定器１をより密着させることで、ケース２内での安定器１のがたつきを防止するとともに、放熱効果を向上することが可能となる。また、凸部３７によりばね３６をより確実に位置決めすることが可能となる。
【００３２】
この発明の第７の実施の形態を図９に基づいて説明する。図９は本発明の第７の実施形態のエンドプレートの斜視図である。
【００３３】
図９に示すように、第１または第２の実施形態において、エンドプレート４の一部にケース２端部に当接する突起部３８を設けた構成である。この場合、突起部３８はねじ２４を挿通するねじ取付部１４の位置にあり、ねじ取付部１４を内側に突出させた部分である（図２）。突起部３８の高さは適切なパッキン３の圧縮代に相当する高さであり、ねじ２４を締め付ける力に関係なく、パッキン３の圧縮代を一定に保つことができる。本実施形態では、個体間のばらつきを抑えた防水性能が得られる。
【００３４】
すなわち、従来においては、エンドプレートをねじでケースに締め付ける際、その締め付け力によりパッキンの圧縮代が異なるため、防水性能面においても個体間のばらつきがあった。さらに、ケース両端をコンパウンドで密閉する場合（図１２）においては、それを乾燥させる手間がかかるという欠点があったが、このような問題が解消される。
【００３５】
この発明の第８の実施の形態を図１０に基づいて説明する。図１０（ａ）は本発明の第８の実施形態のエンドプレートの斜視図、（ｂ）は要部断面図である。
【００３６】
図１０に示すように、第７の実施形態において、ねじ取付部１４の位置が重心から外れていてもパッキン３全体を均一に圧縮させる位置に突起部３９を設けた構成である。すなわち、ねじ取付部１４に挿通されるねじ２４の位置がケース２の断面の重心にない場合、ねじ２４を締め付け後にパッキン３全体を均一に押さえ付けるのが困難である。そのため、ねじ取付部１４とは別に、突起部３９を設けることで、パッキン３全体を均一に押さえ付けることが可能となる。突起部３９はパッキン３全体を均一に押さえ付けることが可能となるように配置する。
【図面の簡単な説明】
【００３７】
【図１】（ａ）は本発明の第１の実施形態のパッキンとエンドプレートの斜視図、（ｂ）は第１の実施形態の要部分解斜視図である。
【図２】（ａ）は防水用照明器具全体の分解斜視図、（ｂ）は防水安定器の完成状態の説明図である。
【図３】本発明の第２の実施形態の要部分解斜視図である。
【図４】本発明の第２の実施形態のエンドプレートの斜視図である。
【図５】本発明の第３の実施形態のエンドプレートの斜視図である。
【図６】（ａ）は本発明の第４の実施形態のパッキンとエンドプレートの斜視図、（ｂ）は第４の実施形態の要部断面図である。
【図７】本発明の第５の実施形態の要部断面図である。
【図８】（ａ）は本発明の第６の実施形態の安定器とケースの斜視図、（ｂ）はケースの断面図である。
【図９】本発明の第７の実施形態のエンドプレートの斜視図である。
【図１０】（ａ）は本発明の第８の実施形態のエンドプレートの斜視図、（ｂ）は要部断面図である。
【図１１】従来の照明器具の安定器周辺の分解斜視図である。
【図１２】他の従来例の照明器具の説明図である。
【符号の説明】
【００３８】
１  安定器
２  ケース
３  パッキン
４  エンドプレート
１０  アース片
３０  突起
３１  突起
３２  突片
【図１】
2005071810.tif 000003
【図２】
2005071810.tif 000004
【図３】
2005071810.tif 000005
【図４】
2005071810.tif 000006
【図５】
2005071810.tif 000007
【図６】
2005071810.tif 000008
【図７】
2005071810.tif 000009
【図８】
2005071810.tif 000010
【図９】
2005071810.tif 000011
【図１０】
2005071810.tif 000012
【図１１】
2005071810.tif 000013
【図１２】
2005071810.tif 000014